(57)【要約】      （修正有）【課題】永久磁石を取り付けることなく、簡単な構造でキャリッジアームのインナー側およびアウター側への回動を制限する。【解決手段】磁気ディスク３と、磁気ディスク３のデータを読み取る磁気ヘッド５と、磁気ヘッド５を先端に有し、ピボット軸４によって回動可能に軸支されたキャリッジアーム６とを備えた磁気記録再生装置１において、ピボット軸４の基部がその両側に配置された弾性材製ストッパー８Ａ、８Ｂの係止部７となされ、ストッパー８Ａ、８Ｂにおけるキャリッジアーム６の係止部７当接方向に対して９０°〜２７０°の範囲で、厚み方向に貫通する所定長のスリット１１、１１が形成されている。【選択図】図２
2009140530.tif 000002
【特許請求の範囲】
【請求項１】
先端に磁気ヘッドを有し、ピボット軸で回動可能に軸支されたキャリッジアームの基部が当接するストッパーであって、弾性材で構成され、一側に厚み方向に貫通する所定長のスリットが形成されていることを特徴とする、ストッパー。
【請求項２】
スリットの先端部に円形の貫通孔が形成されている、請求項１記載のストッパー。
【請求項３】
磁気ディスクと、磁気ディスクのデータを読み取る磁気ヘッドと、該磁気ヘッドを先端に有し、ピボット軸によって回動可能に軸支されたキャリッジアームとを備えた磁気記録再生装置において、ピボット軸の基部がその両側に配置された弾性材製ストッパーの係止部となされ、ストッパーにおけるキャリッジアームの係止部当接方向に対して９０°〜２７０°の範囲で、厚み方向に貫通する所定長のスリットが形成されており、ストッパーにキャリッジアームの係止部が当接した際、ストッパーが変形すると共にスリットの対向壁同士が当接し合うことにより、前記キャリッジアームの回動が制限されると共に、係止部の当接時の衝撃が吸収されるようになされている、磁気記録再生装置におけるキャリッジアームの回動制限機構。
【請求項４】
ストッパーにおけるスリットの先端部に円形の貫通孔が形成されている、請求項３記載の磁気記録再生装置におけるキャリッジアームの回動制限機構。
【発明の詳細な説明】
【技術分野】
【０００１】
本発明は、磁気ディスクにおけるデータの読み取りヘッドを先端に有するキャリッジアームの回動制限を行うストッパーおよびこれを用いたキャリッジアームの回動制限機構に関する。
【背景技術】
【０００２】
図１１・図１２に示すように、磁気記録再生装置６１は、ベース部６２内において、磁気ディスク６０が回動可能に設けられ、ピボット軸６３により軸支されたキャリッジアーム６４の先端に磁気ヘッド６５が取り付けられたものである。そして、キャリッジアーム６４の基部は第一アーム６６Ａと第二アーム６６Ｂとからなる二股状となっており、これらアーム６６Ａ・６６Ｂは、キャリッジアーム６４の先端部が磁気ディスク６０の中心方向（以下、「インナー側」という）へ移動したり、或いはその逆方向（以下、「アウター側」）へ移動するのに伴って前記ピボット軸６３を支点として回動するが、この回動を制限するために下ヨーク６７上に第一アーム６６Ａおよび第二アーム６６Ｂに当接する後述のストッパー６９が取り付けられている。
【０００３】
すなわち、ストッパー６９は、本体が略立方体形状のゴムからなり、一端に形成された方形孔６８には支持ロッド７０が挿入され、また他の方形孔７１には永久磁石７２が嵌め込まれていた。そして、キャリッジアーム６４の回動に伴って、その第一アーム６６Ａまたは第二アーム６６Ｂがストッパー６９に当接した場合、ストッパー６９のゴム弾性によって、その衝撃が緩和されると共に、第一アーム６６Ａまたは第二アーム６６Ｂがストッパー６９の永久磁石７２に吸着した。
【特許文献１】特開２００４−３５５７７８
【発明の開示】
【発明が解決しようとする課題】
【０００４】
前述した構造のストッパー６９によれば、キャリッジアーム６４における第一アーム６６Ａまたは第二アーム６６Ｂの当接時の衝撃が吸収されると共にキャリッジアーム６４のインナー側またはアウター側への過度の移動が制限されるものの、ストッパー６９内に永久磁石７２を嵌め入れるために、予め方形孔７１を形成すると共にこれに永久磁石７２を嵌め込む作業が必要となり、この作業に手間を要すると共に、製造コストが高くなるといった問題があった。
【０００５】
本発明の目的は、永久磁石を取り付けることなく、簡単な構造でキャリッジアームにおける第一アームおよび第二アームの緩衝を確実に行うことができるキャリッジアーム用ストッパーおよびこれを用いたキャリッジアームの回動制限機構を提供することにある。
【課題を解決するための手段】
【０００６】
請求項１記載の本発明は、先端に磁気ヘッドを有し、ピボット軸で回動可能に軸支されたキャリッジアームの基部が当接するストッパーであって、弾性材で構成され、一側に厚み方向に貫通する所定長のスリットが形成されていることを特徴とするものである。
【０００７】
請求項２記載の本発明は、前記請求項１記載のストッパーについて、スリットの先端部に円形の貫通孔が形成されていることを特徴とするものである。
【０００８】
請求項３記載の本発明は、磁気ディスクと、磁気ディスクのデータを読み取る磁気ヘッドと、該磁気ヘッドを先端に有し、ピボット軸によって回動可能に軸支されたキャリッジアームとを備えた磁気記録再生装置において、ピボット軸の基部がその両側に配置された弾性材製ストッパーの係止部となされ、ストッパーにおけるキャリッジアームの係止部当接方向に対して９０°〜２７０°の範囲で、厚み方向に貫通する所定長のスリットが形成されており、ストッパーにキャリッジアームの係止部が当接した際、ストッパーが変形すると共にスリットの対向壁同士が当接し合うことにより、前記キャリッジアームの回動が制限されると共に、係止部の当接時の衝撃が吸収されるようになされている、磁気記録再生装置におけるキャリッジアームの回動制限機構である。
【０００９】
請求項４記載の本発明は、前記請求項３記載の回動制限機構におけるストッパーについて、そのスリットの先端部に円形の貫通孔が形成されていることを特徴とするものである。
【発明の効果】
【００１０】
本発明に係るストッパーは、先端に磁気ヘッドを有し、ピボット軸で回動可能に軸支されたキャリッジアームの基部が当接するものであって、弾性材で構成され、一側に厚み方向に貫通する所定長のスリットが形成された簡単な構造であるため、従来のストッパーとは異なり、永久磁石を必要とせず、またその装着作業も不要となることから、製造作業が簡略化されると共に、製造コストも安価になるという利点がある。
【００１１】
また、本発明に係る磁気記録再生装置におけるキャリッジアームの回動制限機構によれば、前記本発明に係るストッパーを介してキャリッジアームのインナー方向およびアウター方向への回動が簡単かつ確実に制限され得る。
【発明を実施するための最良の形態】
【００１２】
次に、本発明の実施形態を図面にしたがって説明するが、本発明はかかる実施形態に限定されるものではない。
【００１３】
図１に示すように、本発明に係るストッパー８は、後述するキャリッジアームの基部における係止部の当接方向（矢印Ａ）方向に対して９０°〜２７０°の範囲でスリットが形成されるものである。
【００１４】
図２に示すように、磁気記録再生装置１は、方形のベース部２と、ベース部２上に取り付けられた磁気ディスク３と、ピボット軸４によって軸支され、先端に磁気ヘッド５が取り付けられたキャリッジアーム６と、キャリッジアーム６の基部に設けられた係止部７と、キャリッジアーム６の回動に伴って係止部７が当接するインナーストッパー８Ａおよびアウターストッパー８Ｂとを有している。
【００１５】
ストッパー８Ａ・８Ｂは、本実施形態では、弾性材であるポリエステルエラストマーからなり、図２および図３に見られるように、キャリッジアーム６の回動を制限するように、キャリッジアーム６の係止部７の両側に配置され、全体が略立方体形状であって、その一端隅部寄り部分に方形孔９が形成され、ストッパー８Ａ・８Ｂにおけるキャリッジアーム６の係止部当接側面８ａと反対側面８ｂに、キャリッジアーム６の係止部当接側面８ａ方向へ伸び、且つ厚み方向に貫通する所定長のスリット１１が形成され、スリット１１の先端部には円形の貫通孔１２が形成されている。
【００１６】
なお、ストッパー８Ａ・８Ｂは、その方形孔９にベース部２上面に設けられた突起１４が嵌め入れられることでベース部２上に固定されている。
【００１７】
そして、図４（ａ）（ｂ）に示すように、例えばアウターストッパー８Ｂにおいては、キャリッジアーム６における係止部７の当接方向（矢印Ａ方向）に対して１８０°の位置にスリット１１が形成されており、そして、係止部７の当接面７ａがアウターストッパー８Ｂの当接側面８ａにおけるスリット１１の中心線１１ａを挟んでその一側部１０だけに当接するように、アウターストッパー８Ｂの当接側面８ａと係止部７の当接面７ａに所定角度が付されている。したがって、図４（ｂ）に示すように、アウターストッパー８Ｂに係止部７が当接することで、アウターストッパー８Ｂにおける係止部７の当接側部分１０に矢印Ａ方向の外力がかかって変形し、その結果、スリット１１の対向壁１１ｂ・１１ｃ同士が当接し合い、キャリッジアーム６のアウター側への回動が阻止されると共に、前記係止部７の当接時の衝撃が緩和・吸収される。またこれらのことはインナーストッパー８Ａについても同様である。
【００１８】
図５に示すように、キャリッジアーム６の係止部７の当接時における反発量を、本実施形態のストッパー８Ａ・８Ｂと従来例のストッパーで比較した結果、スリット１１を有する本実施形態のストッパー８Ａ・８Ｂの方がスリットのない従来例のストッパーよりも反発量が小さく、衝撃吸収性が大きいことが実験により判明した。
【００１９】
図６は、本発明に係るストッパーの他の実施形態を示しており、前記アウターストッパー８Ｂを例にすると、キャリッジアーム６の係止部７の当接方向（矢印Ａ方向）に対して９０°の位置にスリット２１が形成され、その先端には貫通孔１２が形成されている。
【００２０】
図７は、本発明に係るストッパーの更に他の実施形態を示しており、前記アウターストッパー８Ｂを例にすると、キャリッジアーム６の係止部７の当接方向（矢印Ａ方向）に対して２７０°の位置にスリット３１が形成され、その先端には貫通孔１２が形成されている。
【００２１】
図８は、本発明に係るストッパーの別の実施形態を示しており、前記アウターストッパー８Ｂを例にすると、キャリッジアーム６の係止部７の当接方向（矢印Ａ方向）に対してほぼ１８０°の位置に傾斜状のスリット４１が形成され、その先端には貫通孔１２が形成されている。
【００２２】
図９は、更に別の実施形態にかかるストッパーであって、アウターストッパー８Ｂを例にすると、キャリッジアーム６の係止部７の当接方向（矢印Ａ方向）に対してほぼ１８０°の位置にスリット５１が形成されており、そして、その対向壁５１ａ・５１ｂのうち、一方の壁５１ｂだけが傾斜した構造となされ、スリット５１の先端には貫通孔１２が形成されている。
【００２３】
図１０は、他の実施形態にかかるストッパーであって、前記アウターストッパー８Ｂを例にすると、前述した各実施形態における円形の貫通孔１２が形成されず、キャリッジアーム６の係止部７の当接方向（矢印Ａ方向）に対してほぼ１８０°の位置にスリット７３だけが形成された構造となっている。
【００２４】
なお、前記第２実施形態以下の各実施形態におけるストッパーの材質も、最初の実施形態と同様、ポリエステルエラストマー製である。
【産業上の利用可能性】
【００２５】
本発明によれば、そのストッパーによって、容易に優れた緩衝作用が得られるため、磁気記録再生装置の分野で幅広い利用が期待できる。
【図面の簡単な説明】
【００２６】
【図１】本発明に係るストッパーにおけるスリットの形成範囲を示す平面図である。
【図２】実施形態に係る磁気記録再生装置の平面図である。
【図３】アウターストッパーの斜視図である。
【図４】アウターストッパーに対するキャリッジアームの係止部の当接状態を示し、（ａ）はその当接前、（ｂ）はその当接時の状態を示す。
【図５】実施形態と従来例の各ストッパーについての反発量試験の結果を示すグラフである。
【図６】他の実施形態に係るストッパーの平面図である。
【図７】更に他の実施形態に係るストッパーの平面図である。
【図８】別の実施形態に係るストッパーの平面図である。
【図９】更に別の実施形態に係るストッパーの平面図である。
【図１０】他の実施形態に係るストッパーの平面図である。
【図１１】従来の磁気記録再生装置を示す平面図である。
【図１２】従来の磁気記録再生装置におけるストッパーの斜視図である。
【符号の説明】
【００２７】
１  磁気記録再生装置
３  磁気ディスク
４  ピボット軸
５  磁気ヘッド
６  キャリッジアーム
７  係止部
８Ａ・８Ｂ  ストッパー
１１  スリット
１２  貫通孔
【図１】
2009140530.tif 000003
【図２】
2009140530.tif 000004
【図３】
2009140530.tif 000005
【図４】
2009140530.tif 000006
【図５】
2009140530.tif 000007
【図６】
2009140530.tif 000008
【図７】
2009140530.tif 000009
【図８】
2009140530.tif 000010
【図９】
2009140530.tif 000011
【図１０】
2009140530.tif 000012
【図１１】
2009140530.tif 000013
【図１２】
2009140530.tif 000014